(57)【要約】【課題】  毛束を痛めにくく毛筆に取り付け易い毛筆保護部材及び毛筆構造体を提供する。【解決手段】  毛筆構造体１は毛筆２０及び毛筆保護部材１０から構成される。  毛筆２０は、柱状の軸体２１と、軸体２１の一方端に取り付けられ、軸体２１の軸方向の外方に延びる毛束２２とから成る。  毛筆保護部材１０は毛束保護部３０と軸体取付部４０とから成る。毛束保護部３０は、毛束２２の周囲を囲う中空柱状を有する側壁３１と共に、その側壁３１の一部が開放された開放平面３２を備える。毛筆２０を、開放平面３２を介して軸方向に対して交差する方向に移動させる事によって側壁３１に囲まれた領域に毛束２２を収納できる。軸体取付部４０は、毛束保護部３０に接続され、毛束２２を毛束保護部３０に収納した状態に維持できるように軸体２１に脱着自在に係合できる。  毛束２２を軸方向に動かすことなく毛束保護部３０に収納できるので、毛束２２が痛みにくい。【選択図】  図１
2020157623.tif 000002
【特許請求の範囲】
【請求項１】
柱状の軸体と、前記軸体の一方端に取り付けられ、前記軸体からその軸方向の外方に延びる毛束とからなる毛筆に脱着自在に取り付ける事が出来る毛筆保護部材であって、
前記毛束の周囲の少なくとも一部を囲う中空柱状を有すると共に、その側壁の一部が開放された開放平面を備え、前記開放平面を介して前記毛束を前記軸方向に対して交差する方向に移動させる事によって前記毛束を収納できる毛束保護部と、
前記毛束保護部に接続され、前記毛束を前記毛束保護部に収納した状態に維持できるように前記軸体に脱着自在に係合する軸体取付部とを備えた、毛筆保護部材。
【請求項２】
前記軸体が前記軸体取付部に取り付けられたとき、前記毛束の一部が前記開放平面及び前記軸方向の端部から外方に位置しないように前記毛束保護部は構成される、請求項１記載の毛筆保護部材。
【請求項３】
前記軸体取付部は、毛筆の取付状態において前記軸体の前記毛束保護部の方向への移動を阻止する移動阻止手段を有する、請求項２記載の毛筆保護部材。
【請求項４】
毛筆構造体であって、
柱状の軸体と、前記軸体の一方端に取り付けられ、前記軸体からその軸方向の外方に延びる毛束とからなる毛筆本体と、
前記毛筆本体に脱着自在に取り付ける事が出来る毛筆保護部材とを備え、
前記毛筆保護部材は、
前記毛束の周囲の少なくとも一部を囲う中空柱状を有すると共に、その側壁の一部が開放された開放平面を備え、前記開放平面を介して前記毛束を前記軸方向に対して交差する方向に移動させる事によって前記毛束を収納できる毛束保護部と、
前記毛束保護部に接続され、前記毛束を前記毛束保護部に収納した状態に維持できるように前記軸体に脱着自在に係合する軸体取付部とを含む、毛筆構造体。
【発明の詳細な説明】
【技術分野】
【０００１】
本発明は、毛筆保護部材及び毛筆構造体に関し、特に毛束を保護する毛筆保護部材及び毛筆と毛筆保護部材とからなる毛筆構造体に関するものである。
【背景技術】
【０００２】
従来、図画や書道などに用いられる毛筆の不使用時において毛束を保護するためのカバーとして、筒状のキャップが用いられている。特許文献１及び２には、筒状のキャップで、毛筆の差し込み口付近の一部を切欠き、毛筆を入れやすくしたキャップが開示されている。
【先行技術文献】
【特許文献】
【０００３】
【特許文献１】実開昭５２−０５７７２９号公報
【特許文献２】実開昭６２−１５９６８３号公報
【発明の概要】
【発明が解決しようとする課題】
【０００４】
しかしながら、特許文献１及び２のキャップは、毛筆を毛束の先の方からキャップの中へ差し込むため、毛束がキャップにぶつかり易く毛が折れてしまう。特に毛筆授業を受ける小学生等の子供は、キャップに毛束が触れないように正確に差し込むことが難しく、毛束を痛めてしまうことがあった。
【０００５】
本発明は、上記のような課題を解決するためになされたもので、毛束を痛めないように毛筆に取り付け易い毛筆保護部材及び毛筆構造体を提供することを目的とする。
【課題を解決するための手段】
【０００６】
上記の目的を達成するために、請求項１記載の発明は、柱状の軸体と、軸体の一方端に取り付けられ、軸体からその軸方向の外方に延びる毛束とからなる毛筆に脱着自在に取り付ける事が出来る毛筆保護部材であって、毛束の周囲の少なくとも一部を囲う中空柱状を有すると共に、その側壁の一部が開放された開放平面を備え、開放平面を介して毛束を軸方向に対して交差する方向に移動させる事によって毛束を収納できる毛束保護部と、毛束保護部に接続され、毛束を毛束保護部に収納した状態に維持できるように軸体に脱着自在に係合する軸体取付部とを備えたものである。
【０００７】
このように構成すると、開放平面を通過させることによって毛束を毛束保護部に収納できる。
【０００８】
請求項２記載の発明は、請求項１記載の発明の構成において、軸体が軸体取付部に取り付けられたとき、毛束の一部が開放平面及び軸方向の端部から外方に位置しないように毛束保護部は構成されるものである。
【０００９】
このように構成すると、開放平面から外方に位置する物に毛束は接触しない。
【００１０】
請求項３記載の発明は、請求項２記載の発明の構成において、軸体取付部は、毛筆の取付状態において軸体の毛束保護部の方向への移動を阻止する移動阻止手段を有するものである。
【００１１】
このように構成すると、毛束が毛束保護部の軸方向の端部に接触する虞がない。
【００１２】
請求項４記載の発明は、毛筆構造体であって、柱状の軸体と、軸体の一方端に取り付けられ、軸体からその軸方向の外方に延びる毛束とからなる毛筆本体と、毛筆本体に脱着自在に取り付ける事が出来る毛筆保護部材とを備え、毛筆保護部材は、毛束の周囲の少なくとも一部を囲う中空柱状を有すると共に、その側壁の一部が開放された開放平面を備え、開放平面を介して毛束を軸方向に対して交差する方向に移動させる事によって毛束を収納できる毛束保護部と、毛束保護部に接続され、毛束を毛束保護部に収納した状態に維持できるように軸体に脱着自在に係合する軸体取付部とを含むものである。
【００１３】
このように構成すると、開放平面を通過させることによって毛束を毛束保護部に収納できる。
【発明の効果】
【００１４】
以上説明したように、請求項１記載の発明は、開放平面を通過させることによって毛束を毛束保護部に収納できるので、毛筆の毛筆保護部材に対する収納が容易となる。
【００１５】
請求項２記載の発明は、請求項１記載の発明の効果に加えて、開放平面から外方に位置する物に毛束は接触しないので、毛束の保護機能がより向上する。
【００１６】
請求項３記載の発明は、請求項２記載の発明の効果に加えて、毛束が毛束保護部の軸方向の端部に接触する虞がないので、毛束の保護機能がさらに向上する。
【００１７】
請求項４記載の発明は、開放平面を通過させることによって毛束を毛束保護部に収納できるので、毛筆本体の毛筆保護部材に対する取付が容易となる。
【図面の簡単な説明】
【００１８】
【図１】この発明の実施の形態による毛筆構造体の概略構造を示す斜視図である。
【図２】図１に示す毛筆構造体を構成する毛筆と毛筆保護部材とを分離した状態を示す概略斜視図である。
【図３】図２で示した毛筆保護部材を上方から見た拡大平面図である。
【図４】図３で示したＩＶ−ＩＶラインの断面図である。
【図５】図２で示したＶ−Ｖラインの断面図である。
【図６】図１で示したＶＩ−ＶＩラインの断面図である。
【発明を実施するための形態】
【００１９】
図１はこの発明の実施の形態による毛筆構造体の概略構造を示す斜視図であり、図２は、図１に示す毛筆構造体を構成する毛筆と毛筆保護部材とを分離した状態を示す概略斜視図である。
【００２０】
これらの図を参照して、毛筆構造体１を構成する毛筆２０及び毛筆保護部材１０について説明する。
【００２１】
まず、毛筆２０について説明する。毛筆２０は、プラスチックで形成された六角柱状の軸体２１と、軸体２１の一方端に取り付けられ、軸体２１の軸方向の外方に延びるナイロン製の毛束２２とから成る。毛束２２は軸体２１の最大外周径よりも細く束ねられている。
【００２２】
次に、毛筆保護部材１０は、合成樹脂を射出成型して成り、毛筆２０の不使用時に軸方向Ｘに対して直交する鉛直下方向のＹ方向から毛筆２０を取り付けて毛束２２を保護する。
【００２３】
以下、毛筆保護部材１０の構成について説明する。
【００２４】
図３は、図２で示した毛筆保護部材を上方から見た拡大平面図であり、図４は、図３で示したＩＶ−ＩＶラインの断面図である。尚、図３及び図４では毛筆保護部材１０に収納された状態の毛筆２０を仮想線で示している。又、図５は、図２で示したＶ−Ｖラインの断面図であり、図６は、図１で示したＶＩ−ＶＩラインの断面図である。
【００２５】
これらの図を参照して、毛筆保護部材１０は、毛束保護部３０及び軸体取付部４０を備える。
【００２６】
毛束保護部３０は、毛束２２の周囲を囲う中空柱状を有する側壁３１と、その側壁の一部が開放された開放平面３２を備える。側壁３１は毛束２２を収納するもので、毛束２２を収納したとき、図３に示すように毛束２２の先端を囲むように構成される。又、図４に示すように毛束２２の一部が開放平面３２から外方に位置しないように構成される。
【００２７】
軸体取付部４０は、毛束保護部３０と接続されており、軸体２１を囲むような中空柱状の支持部４１を有する。支持部４１は開放平面３２に連続した開放平面４７を有する。支持部４１の向かい合う挟持部４２ａ及び４２ｂの縁部分には、それぞれ軸体取付部４０の内側に向けて傾斜したガイド４５ａ及び４５ｂが形成されており、その内側にはそれぞれ突形状の係止部４３ａ、４３ｃ及び４３ｂ、４３ｄが形成されている。挟持部４２ａ、４２ｂは、図５に示す挟持部４２ａの内面から挟持部４２ｂの内面までの幅が、下から上にかけて狭くなるよう内面が傾斜している。軸体２１が軸体取付部４０に収納されたとき、挟持部４２ａ、４２ｂが両側から軸体２１を押え、係止部４３ａ、４３ｂ、４３ｃ、４３ｄと合わせて軸体２１が軸体取付部４０に収納された状態を維持する。
【００２８】
又、軸体取付部４０は、毛束保護部３０との接続部分に移動阻止手段４４を備える。移動阻止手段４４は、軸方向Ｘに対して直交方向に形成された面であり、軸体２１が軸体取付部４０に収納されたときに、軸体２１の先端に当接する。毛束２２が収納されたとき、移動阻止手段４４が軸体２１の先端に当接して先端方向への移動を阻止しているため、毛束２２の先端が側壁３１の先端部分にぶつかることが無く、毛束２２を痛めにくい。
【００２９】
又、軸体取付部４０には、毛束保護部３０との接続部分近傍にスリット４６が形成されている。軸体取付部４０に形成されたスリット４６によって、挟持部４２ａ、４２ｂが外側に開きやすくなり、力が弱い子供でも簡単に毛筆２０を毛筆保護部材１０に取り付けることができる。
【００３０】
次に、毛筆構造体１の使用状態について説明する。
【００３１】
毛筆保護部材１０に毛筆２０を取り付けるときは、図２に示すように軸方向Ｘに対して直交する鉛直下方向のＹ方向に毛筆２０を移動させ、軸体２１を軸体取付部４０に取り付ける。毛束２２は、開放平面３２を介して毛束保護部３０内に収納され、軸体２１は開放平面４７を介して軸体取付部４０に収納される。
【００３２】
毛筆保護部材１０から毛筆２０を取り外すときは、毛筆２０を軸方向Ｘの方向に引き抜くことができ、取り付けたときとは逆に移動させて、軸方向Ｘに直交する鉛直上方向に取り外すこともできる。
【００３３】
以上説明したように、毛筆保護部材１０は、軸方向Ｘに対して直交する鉛直下方向のＹ方向に移動させることによって毛束２２を開放平面３２を介して毛束保護部３０に収納できる。毛筆２０を軸方向に動かさずに毛束２２を毛束保護部３０に収納できるので、毛束２２が毛束保護部３０にぶつかって折れる可能性が低い。
【００３４】
尚、上記の実施の形態で、毛束２２が開放平面３２から外方に位置しない構成としたが、側壁３１は、毛束２２の周囲を部分的に囲む構成であれば良く、図４に示す状態で毛束２２の一部が開放平面３２から外方に位置しても良い。又、図３に示すように毛束２２の先端は側壁３１で囲まれている構成としたが、側壁３１の先端側が開口となっていても良い。
【００３５】
又、上記の実施の形態では、軸方向Ｘに直交する鉛直方向のＹ方向に移動して毛筆２０を脱着できるとしたが、脱着はＹ方向に限らず、毛束２２が開放平面３２を通過する方向であれば軸方向Ｘに対して交差するどの方向からでも脱着可能であり、毛筆２０を軸方向Ｘに対して傾斜させて持っていても、毛束２２が開放平面３２を通過するように移動させれば毛束２２を痛めることなく脱着可能である。又、毛筆保護部材は軸方向Ｘの末端側が開放状態になっているため、軸方向に毛筆を移動させて毛筆保護部材に取り付けることも可能である。
【００３６】
更に、上記の実施の形態で軸体２１は六角柱状として説明したが、他の形状でも良い。
【００３７】
更に、上記の実施の形態で、軸体取付部は軸体に対応する中空柱状としたが、この形状に限定されない。軸体に脱着可能で、毛束を毛束保護部に収納した状態を維持できる構成であれば良い。
【００３８】
更に、上記の実施の形態では、移動阻止手段は軸体取付部に設けた面としたが、軸体の先端面の少なくとも一部に当接すれば良い。又、毛筆の形状によって軸体の先端面に当接できない場合は、凹凸を設けて嵌合させるなど毛筆が軸方向の先端方向へ移動しない構成とすれば良く、軸体取付部のどの位置に設けても良い。
【００３９】
更に、上記の実施の形態では、移動阻止手段及びスリットを設けた構成を説明したが、移動阻止手段及びスリットを設けない構成としても良い。
【００４０】
更に、上記の実施の形態では、毛筆保護部材の側壁の一部に開放平面を設ける構成を説明したが、毛筆保護部材に開閉自在の蓋体を設けて、毛筆を収納したときには蓋を閉じる構成としても良い。
【００４１】
更に、上記の実施の形態では、毛筆と、毛筆に取り付ける毛筆保護部材として説明したが、刷毛など毛束と軸体とを有する対象物を保護する毛筆保護部材としても利用可能である。
【符号の説明】
【００４２】
１…毛筆構造体
１０…毛筆保護部材
２０…毛筆
２１…軸体
２２…毛束
３０…毛筆保護部
３１…側壁
３２…開放平面
４０…軸体取付部
４１…支持部
４２ａ、４２ｂ…挟持部
４３ａ、４３ｂ、４３ｃ、４３ｄ…係止部
４４…移動阻止手段
４５ａ、４５ｂ…ガイド
４６…スリット
４７…開放平面
尚、各図中同一符号は同一又は相当部分を示す。
【図１】
2020157623.tif 000003
【図２】
2020157623.tif 000004
【図３】
2020157623.tif 000005
【図４】
2020157623.tif 000006
【図５】
2020157623.tif 000007
【図６】
2020157623.tif 000008